(57)【要約】【課題】ＰＯＮ型の光伝送システムに使用される中継装置であって、中継器の管理機能の導入を容易にすること。【解決手段】少なくとも１つの側の光回線終端装置７−１とセンタ側の光回線終端装置１との間の光伝送路２，３のうちセンタ側の第１の光伝送路２と加入者側の第２の光伝送路３の間に接続される光信号処理部２１，２２，２３と、第１又は第２の光伝送路２，３に接続される光合分波部２０と、光合分波部２０を介して第１又は第２の光伝送路２，３に接続される管理用の光回線終端装置２４と、管理用の光回線終端装置２４との間で中継装置管理信号を伝送する管理機能部２６とを有する。【選択図】図１
2007295507.tif 000002
【特許請求の範囲】
【請求項１】
少なくとも１つの加入者宅側とセンタ側の間の光伝送路中に設置される中継装置において、
前記光伝送路のうち前記センタ側の第１の光伝送路と前記加入者宅側の第２の光伝送路の間に接続される光信号処理部と、
前記光伝送路に接続される光合分波部と、
管理用電気信号を入出力するとともに前記光合分波部を介して前記光伝送路に接続される管理用の光回線終端装置とを有することを特徴とする光中継装置。
【請求項２】
前記管理用の光回線終端装置は、前記加入者宅側に配置される光回線終端装置と同等の機能を有することを特徴とする請求項１に記載の光中継装置。
【請求項３】
前記管理用の光回線終端装置は、前記光合分波部を介して、前記第１の光伝送路と前記第２の光伝送路のいずれか一方に接続されていることを特徴とする請求項１又は請求項２に記載の光中継装置。
【請求項４】
光信号処理部は、
前記センタ側の前記第１の光伝送路に接続されて光電気変換、逆光電気変換を行う第１の電気／光変換手段と、
前記加入者側の前記第２の光伝送路に接続されて光電気変換、逆光電気変換を行う第２の電気／光変換手段と、
前記第１の電気／光変換手段と前記第２の電気／光変換手段の間に接続されて相互間で電気信号を伝送する電気線路と
を有することを特徴とする請求項１乃至請求項３のいずれか１つに記載の光中継装置。
【請求項５】
前記前記第１の電気／光変換手段と前記第２の電気／光変換手段の少なくとも一方は、等化増幅、識別再生、リタイミングの処理を行う処理回路を有することを特徴とする請求項１乃至請求項４のいずれか１つに記載の光中継装置。
【請求項６】
請求項１乃至請求項５のいずれかに記載の光中継装置と、
前記センタ側に設けられて前記第１の光伝送路を介して前記光中継装置に接続される第１の光回線終端装置と、
前記加入者宅側に配置されて前記第２の光伝送路を介して前記光中継装置に接続される第２の光回線終端装置と
を有することを特徴とする光伝送システム。
【請求項７】
前記光中継装置は、前記第１の光伝送路と前記第２の光伝送路の間において、第３の光伝送路を介して複数接続されていることを特徴とする請求項６に記載の光伝送システム。
【発明の詳細な説明】
【技術分野】
【０００１】
本発明は、光伝送システム及び光中継装置に関し、より詳しくは、ＰＤＳ型の光伝送システムとその光中継装置に関する。
【背景技術】
【０００２】
ＦＴＴＨ、ＣＡＴＶ等の光ネットワークでは、センタに接続される光伝送路を受動型スプリッタにより分岐して複数の加入者宅まで敷設するＰＤＳ(Passive Double Star)型の光伝送システムが使用されている。
【０００３】
そのような光伝送システムでは、センタの光回線終端装置（ＯＬＴ：Optical Line Termination）内のＯＳＵ（Optical Subscriber Unit）からユーザ側に引き出される光ファイバにスプリッタが接続され、そのスプリッタにより複数に分岐された光伝送路には光ファイバを介して複数のユーザの光回線終端装置（ＯＮＵ：Optical Network Unit）が接続される。
【０００４】
ＯＬＴと複数のＯＮＵを光ファイバ及びスプリッタにより接続するというＰＤＳ型の光伝送システムにおいては、光伝送路を長距離するために、ＯＬＴとスプリッタの間の光伝送路に光中継装置を接続する構成が知られている。
【０００５】
また、既存の光伝送システムにＭＵＸ／ＤＥＭＵＸ、光中継装置を接続して波長分割多重通信（ＷＤＭ）を行うことができるシステムが下記の特許文献１に記載されている。
【０００６】
その光中継装置では、ＯＬＴからＯＮＵへの上り方向に伝送される光信号と、逆の下り方向に伝送される光信号の双方に対して、光信号を受光素子により電気信号に変換し、その電気信号を受光回路により３Ｒ処理し、受光回路の出力信号に基づいて発光素子を駆動して電気信号を光信号に変換するというような処理が行われる。なお、３Ｒ処理は、等化増幅（reshaping）、識別再生（regeneration）及びリタイミング（retiming）の処理である。
【特許文献１】特開２００２−２６１６９７号公報
【発明の開示】
【発明が解決しようとする課題】
【０００７】
ＣＡＴＶの光中継装置はＯＬＴから離れた屋外に置かれるのが一般的であり、その中の発光素子の出力が環境温度の違いによって変化したり、停電により中継不能になったり、あるいは光中継装置の電源部の伝発変動異常、筐体の扉開口異常、内部の温度上昇異常、浸水異常の発生などの事象に対処するために光中継装置を管理する必要がある。
【０００８】
そのような管理のためには、管理用電気回路を光中継装置内に取り付け、さらに管理用電気回路を電気通信回線に接続する必要がある。しかし、光中継装置の管理用のために新たな電気通信回線を敷設するためには、大がかりな工事が必要となってコストが嵩むといった不都合が生じる。また、新たな電気通信回線を敷設する余裕がない場合には光中継装置の管理を断念しなければならない。
【０００９】
これに対して、光伝送システムに通常使用する波長の光とは別に、光中継装置管理専用の波長の光信号を用いて光多重することも考えられるが、このシステムを採用するためには光波長多重装置が必要であり、コスト面、スペースの余裕等の観点から容易に採用できない。
【００１０】
本発明の目的は、コスト面、作業面の観点から光中継装置に対する管理機能の導入が容易な光伝送システム及び光中継装置を提供することにある。
【課題を解決するための手段】
【００１１】
上記の課題を解決するための本発明の第１の態様は、少なくとも１つの加入者宅側とセンタ側の間の光伝送路中に設置される中継装置において、前記光伝送路のうち前記センタ側の第１の光伝送路と前記加入者宅側の第２の光伝送路の間に接続される光信号処理部と、前記光伝送路に接続される光合分波部と、管理用電気信号を入出力するとともに前記光合分波部を介して前記光伝送路に接続される管理用の光回線終端装置とを有することを特徴とする光中継装置である。
【００１２】
本発明の第２の態様は、前記第１の態様に係る光中継装置において、前記管理用の光回線終端装置は、前記加入者宅側に配置される光回線終端装置と同等の機能を有することを特徴とする。
【００１３】
本発明の第３の態様は、前記第１又は第２の態様に係る光中継装置において、前記管理用の光回線終端装置は、前記光合分波部を介して、前記第１の光伝送路と前記第２の伝送路のいずれか一方に接続されていることを特徴とする。
【００１４】
本発明の第４の態様は、前記第１乃至第３の態様のいずれかに係る光中継装置において、光信号処理部は、前記センタ側の前記第１の光伝送路に接続されて光電気変換、逆光電気変換を行う第１の電気／光変換手段と、前記加入者側の前記第２の光伝送路に接続されて光電気変換、逆光電気変換を行う第２の電気／光変換手段と、前記第１の電気／光変換手段と前記第２の電気／光変換手段の間に接続されて相互間で電気信号を伝送する電気線路とを有することを特徴とする。
【００１５】
本発明の第５の態様は、前記第１乃至第４の態様に係る光中継装置において、前記前記第１の電気／光変換手段と前記第２の電気／光変換手段の少なくとも一方は、等化増幅、識別再生、リタイミングの処理を行う処理回路を有することを特徴とする。
【００１６】
本発明の第６の態様は、前記第１乃至第５のいずれかに記載の光中継装置と、前記センタ側に設けられて前記第１の光伝送路を介して前記光中継装置に接続される第１の光回線終端装置と、前記加入者宅側に配置されて前記第２の光伝送路を介して前記中継装置に接続される第２の光回線終端装置とを有することを特徴とする光伝送システムである。
【００１７】
本発明の第７の態様は、前記第６の態様に係る光伝送システムにおいて、前記光中継装置は前記第１の光伝送路と前記第２の光伝送路の間において、第３の光伝送路を介して複数接続されていることを特徴とする。
【発明の効果】
【００１８】
本発明によれば、光中継装置を管理する中継装置管理信号を伝送する管理機能部は、光中継装置内に設けられ、光回線終端装置（ＯＮＵ）を介して光伝送路に接続するようにしたので、光中継装置の管理のために電気通信回線を敷設したり、通常の光伝送とは別波長の光信号を使用したりする必要はなく、且つ既存のオペレーションに影響を与えずに、光中継装置管理用の信号をセンタ装置との間で伝送することができる。
【発明を実施するための最良の形態】
【００１９】
以下に本発明の実施の形態を図面に基づいて詳細に説明する。
【００２０】
図１は、本発明の実施形態に係るＰＤＳ型光伝送システムの構成図である。
【００２１】
図１において、ＣＡＴＶなどのセンタ側の光回線終端装置（ＯＬＴ）１に接続される光ファイバ２から構成される光伝送路は光中継装置４を介して第１の光カプラ（光合分波器）５に接続されている。また、第１の光カプラ５により複数に分岐される光伝送路は、光ファイバ６−１，…６−ｎを介して複数の加入者宅の光回線終端装置（ＯＮＵ）７−１，…７−ｎ（ｎ：自然数）に接続されている。ＯＮＵ７−１，…７−ｎはそれぞれ光トランシーバ８ａとこれに接続されるＯＮＵ機能８ｂから構成されている。
【００２２】
なお、一般的にはＯＮＵという用語には光トランシーバの機能が含まれるが、本発明の説明をする上で、ここではＯＮＵを、光トランシーバとＯＮＵ機能の２つに分けて説明する。
【００２３】
ＯＬＴ１、ＯＮＵ７−１，…７−ｎとして、ＥＦＭの標準規格ＩＥＥＥ８０２.３aｈに従うＧＥＰＯＮ(Gigabit Ethernet（登録商標） PON)やＩＴＵ−Ｔ勧告Ｇ．９８４．ｘに従うＧＰＯＮ(Gigabit Passive Optical Network)等の規定に適合した装置が使用される。
【００２４】
光中継装置４は、ＯＴＬ１側の光ファイバ２に接続される第１のＥＯ／ＯＥ部（電気／光変換手段）２１と、第１の光カプラ５側の光伝送路に接続される第２のＥＯ／ＯＥ部（電気／光変換手段）２２と、第１のＥＯ／ＯＥ部２１と第２のＥＯ／ＯＥ部２２の相互間で電気信号を伝送する電気線路２３と、第２のＥＯ／ＯＥ部２２の光入出力端に光導波路又は光ファイバ１９を介して接続された光伝送路を下り方向に少なくとも加入者宅側に２系統に分岐してその１系統を加入者宅側の光ファイバ３に接続する第２の光カプラ（光合分波器）２０と、第２の光カプラ（光合分波器）２０の下り側の第２の系統に光接続される管理用ＯＮＵ２４と、光中継装置４内の扉開閉センサ、温度センサ、電源電圧センサ、アラーム、ヒータ等の各種デバイス２５と、管理用ＯＮＵ２４の電気信号入出力端に接続されとともに第１、第２のＥＯ／ＯＥ部２１，２２及び各種デバイス２５に対して検出信号、制御・設定信号を入出力する管理機能部２６とを有している。
【００２５】
なお、下りはセンタから加入者宅へ送信される向きであり、上りはその逆向きである。
【００２６】
第１、第２のＥＯ／ＯＥ部２１、２２とこれらを電気的に接続する電気線路２３は、図２に示すような構成を有している。
【００２７】
図２において、第１のＥＯ／ＯＥ部２１と第２のＥＯ／ＯＥ部２２を接続する電気線路２３は、上り方向に電気信号を伝搬させる第１の電気線路２３ａと下り方向に電気信号を伝搬させる第２の電気線路２３ｂを有している。
【００２８】
第１のＥＯ／ＯＥ部２１は、ＯＴＬ１側の光ファイバ２に接続される第１のＷＤＭカプラ３１と、第１のＷＤＭカプラ３１を介して受光した下りの光信号を電気信号に変換する第１の受光素子３２と、第１の受光素子３２の出力電気信号について３Ｒ又は２Ｒの処理を行って出力する第１の受信回路３３とを有し、さらに、第２の電気線路２３ｂからの上りの電気信号に基づいて所定の駆動電流を出力する第１の駆動回路４４と、第１の駆動回路４４からの駆動電流の供給により発生した光を第１のＷＤＭカプラ６３を介して光ファイバ２に出力する第１の発光素子４５とを有している。
【００２９】
第２のＥＯ／ＯＥ部２２は、第１の電気線路２３ａからの下りの電気信号に基づいて所定の駆動電流を出力する第２の駆動回路３４と、第２の駆動回路３４からの駆動電流の供給により光を出力する第２の発光素子３５と、第２の発光素子３５から入力した光を第２の光カプラ２０側の光ファイバ１９に出力する第２のＷＤＭカプラ４１とを有し、さらに、第２の光カプラ２０側から伝搬された上りの光信号を第２のＷＤＭカプラ４１を介して受光して電気信号に変換する第２の受光素子４２と、第２の受光素子４２の出力電気信号について２Ｒ又は３Ｒの処理を行って第２の電気線路２３ｂに出力する第２の受信回路４３とを有している。なお、２Ｒは、識別再生、リタイミングの処理であり、３Ｒはそれらに等化増幅を加えた処理である。
【００３０】
管理用ＯＮＵ２４は、ＰＯＮインターフェースのプロトコル仕様の装置であって、加入者宅側のＯＮＵ７−１，…７−ｎと同じ回路構成となっており、図３に示すように、光トランシーバ２４ａとこれに電気的に接続されるＯＵＮ機能部２４ｂとを有している。
【００３１】
図３において、光トランシーバ２４ａは、第２の光カプラ２０を介して第２のＷＤＭカプラ４１に光結合された光ファイバ１８に接続されるＷＤＭ部１１と、このＷＤＭ部１１により分岐された一方の光導波路に接続される受光素子（不図示）を有する光・電気変換回路部１２と、ＷＤＭ部１１により分岐された他方の光導波路に接続される発光素子（不図示）を有する電気・光変換回路１３とを有している。
【００３２】
ＯＮＵ機能部２４ｂは電気回路であって、光・電気変換回路部１２と電気・光変換回路１３に接続される入出力部を有するＰＯＮ処理用のＯＮＵ用ＬＳＩ３１には、１０／１００ＰＨＹコントローラ３２、トランスフォーマ３３及びＲＪ２５コネクタ３４からなる第１のＬＡＮインターフェース３５と、１０／１００／１０００ＰＨＹコントローラ３６、トランスフォーマ３７及びＲＪ２５コネクタ３８からなる第２のＬＡＮインターフェース３９と、ＺＢＴ−ＲＡＭ４０と、データバス４１が接続されている。また、バスデータバス４１にはＳＲＡＭ４２、フラッシュメモリ４３が接続され、フラッシュメモリ４３にはプログラム等が格納されている。ＲＪ４５コネクタ３４，３８は、管理機能部２５の管理信号入出力端に接続されるプラグ（不図示）が差し込まれる。
【００３３】
なお、特に図示しないが、ＬＳＩ３１内のＧＰＩＯインターフェースには各種デバイス２５のアラーム等のデバイス信号を電気的に接続してもよく、また、ＬＳＩ３１内のＩ２Ｃインターフェースには、アナログ・デジタル変換ボードを介して各種デバイス２５のうち温度センサ等を電気的に接続してもよい。
【００３４】
管理機能部２６は、第１及び第２のＥＯ／ＯＥ部２１、２２の状態監視信号や各種デバイス２５内のデバイス信号を入力するとともに、第１及び第２のＥＯ／ＯＥ部２１，２２と各種デバイス２５内のそれぞれのデバイスを制御したり条件を設定したりすることが可能な信号を出力する監視・制御・設定回路構成となっている。
【００３５】
なお、図１において符号１５はＯＴＬ１に接続されるスーパーバイザ、１６はスーパーバイザ１５との間で信号を入出力して光中継装置４を監視、操作する監視操作装置を示している。
【００３６】
以上のような光中継装置を有する光伝送システムにおいて、加入者宅のＯＮＵ７−１，…７−ｎから光ファイバ６−１，…６−ｎを介して送られた波長１．３μｍ帯の光信号は第１の光カプラ５により合波され、光ファイバ３に伝送されて光中継装置４に入力する。
【００３７】
また、加入者宅側から光中継装置４内に入力した光信号は、第２の光カプラ２０によって管理用ＯＮＵ２４からの光信号に合波され、さらに光ファイバ１９を介して第２のＥＯ／ＯＥ部２２内で電気信号に変換され、さらに電気線路２３を介して第１のＥＯ／ＯＥ部２２に入力してここで光信号に変換されてＯＬＴ１側の光ファイバ２に出力される。
【００３８】
即ち、図２において、光ファイバ１９から第２のＷＤＭカプラ４１に入力した光信号は、第２の受光素子４２により電気信号に変換され、さらに第２の受信回路４３により２Ｒ処理又は３Ｒ処理がなされ、第２の電気線路２３ｂを介して第１の駆動回路４４に出力される。そして、第１の駆動回路４４から出力された駆動電流により第１の発光素子４５が駆動され、第１の発光素子４５から出力された波長１．３μｍ帯の光信号は第１のＷＤＭカプラ３１を介して光ファイバ２に出力される。
【００３９】
一方、ＯＬＴ１から出力された波長１．４９μｍの光信号は、光ファイバ２を伝搬して第１のＥＯ／ＯＥ部２１に入力し、ここで電気信号に変換された後に電気線路２３を介して第２のＥＯ／ＯＥ部２２に入力して光信号に戻される。また、第２のＥＯ／ＯＥ部２２から出力された光信号は、光ファイバ１９及び第２の光カプラ２０に伝搬される。
【００４０】
即ち、図２において、第１のＷＤＭカプラ３１に入力した光信号は、第１の受光素子３２により電気信号に変換され、さらに第１の受信回路３３により３Ｒまたは２Ｒ処理がなされ、第１の電気線路２３ａを介して第２の駆動回路３４に出力される。そして、第２の駆動回路３４から出力された駆動電流により第２の発光素子３５が駆動されて第２のＷＤＭカプラ４１を介して光ファイバ１９に光信号を出力する。
【００４１】
光ファイバ１９から下り方向に伝搬された光信号は、第２のカプラ２０により分岐され、その一部の光信号は、第１の光カプラ５によってさらに分岐された後に光ファイバ６−１，…６−ｎを介して加入者宅側のＯＮＵ７−１，…７−ｎに伝送される。
【００４２】
ところで、光中継装置４における管理機能部２６は、第１、第２のＥＯ／ＯＥ部２１，２２及び各種デバイス２５から入力した検出信号、異常信号等を電気信号で管理用ＯＮＵ２４のＯＮＵ機能部２４ｂに送信する。また、ＯＮＵ機能部２４ｂは入力した電気信号を所定のチャンネル、即ち管理用ＯＮＵに対応するＯＮＵ論理的チャンネルにする等の処理を行って光トランシーバ２４ａに出力する。光トランシーバ２４ａは電気信号を波長１．３μｍ帯の光信号に変換して所定のチャンネルで第２の光カプラ２０に出力する。なお、所定チャンネルは、加入者宅により選択されないチャンネルである。
【００４３】
光トランシーバ２４ａに入力した所定チャンネルの光信号は、第２の光カプラ２０によって加入者宅側から伝送された光信号に合波されて第２のＥＯ／ＯＥ部２２に伝送され、さらに電気信号線２３及び第１のＥＯ／ＯＥ部２１及び光ファイバ２を介してＯＬＴ１に伝送される。
【００４４】
一方、監視操作装置１６からスーパーバイザ１５を介してＯＬＴ１から出力された所定のチャンネルの光信号である管理用制御・設定信号は、他の光信号とともに１．４９μｍの波長で光ファイバ２を介して第１のＥＯ／ＯＥ部２１に入力され、ここで電気信号に変換され、さらに電気線路２３を介して第２のＥＯ／ＯＥ部２２に入力してここで光信号に戻される。また、第２のＥＯ／ＯＥ部２２から出力された光信号は、第２のカプラ２０により分岐されて管理用ＯＮＵ２４と第１の光カプラ５に出力される。
【００４５】
管理用ＯＮＵ２４では、入力した光信号を光トランシーバ２４ａで電気信号に変換してＯＮＵ機能部２４ｂに送信すると、ＯＮＵ機能部２４ｂは入力信号のうち所定のチャンネルを管理用制御・設定信号として管理機能部２６に出力する。
【００４６】
管理機能部２６はその管理用制御・設定信号に基づいて各種デバイス２５のパラメータを所定の値に設定したり、或いはＥＯ／ＯＥ部２１，２２のデバイスを制御したりする。ＥＯ／ＯＥ部２１，２２のデバイスの制御としては、発光素子３２，４２の光出力パワー調整や発光素子３２，４２の出力検出指令信号などがある。また。各種デバイス２５のパラメータとしては、例えば、ヒータの温度設定、アラーム音の強度の設定がある。
【００４７】
なお、ＯＮＵ７−１，…７−ｎとＯＴＬ１の間では光中継装置４を介して通常通り光信号の伝送が行われ、インターネット回線等に接続されたり、ＣＡＴＶセンタ装置等に接続されたりする。この場合、ＯＮＵ７−１，…７−ｎでは、管理用ＯＮＵ２４からの光信号２４で使用される所定のチャンネルを除いたチャンネルの光信号が選択される。
【００４８】
上記の光伝送システムにおけるシステム的な機能を論理的に示すと図４のようになり、光中継装置４の管理用ＯＮＵ２４は加入者宅のＯＮＵ７−１，…７−ｎと同じプロトコル仕様でシステムを構成できるため、管理用ＯＮＵ２４においてもＯＴＬ１とＯＮＵ７−１，…７−ｎの間で行われるオペレーションを活用することが可能になる。
【００４９】
従って、ＰＯＮの光伝送システムを長距離化するなどの目的でＯＴＬ１とＯＮＵ７−１，７−ｎの間の光伝送路に設置される光中継装置４の管理を、新たな別回線を用いることなく且つ既存のオペレーションに影響を与えずに、その光伝送路に効率的に多重収容することができる。
【００５０】
この場合、光中継装置４に設けられた第２の光カプラ２０は、少なくも２分岐の構造が必要になる。また、第２の光カプラ２０により分岐される光信号の強度は、加入者宅側のＯＮＵ７−１，…７−ｎとの伝送距離の違いを考慮すれば、第２の光カプラ２０に対して最短である管理用ＯＮＵ２４へのパワーを最も小さくするのが好ましく、例えば１０％とする。
（第２の実施の形態）
図５は、本発明の第２の実施形態に係る光伝送システムの構成を示すブロック図である。なお、図５において、図１と同じ符号は同じ要素を示し、光中継装置を除いて第１実施形態と同じ構成となっている。
【００５１】
図５に示す光中継装置４は、ＯＴＬ１側の光ファイバ２に接続される第２の光カプラ２０Ａと、第２の光カプラ２０により下り側の第１ポートに接続される第１のＥＯ／ＯＥ部（電気／光変換手段）２１と、加入者宅側の光ファイバ３に接続される第２のＥＯ／ＯＥ部（電気／光変換手段）２２と、第１のＥＯ／ＯＥ部２１と第２のＥＯ／ＯＥ部２２の相互間で電気信号を伝送する電気線路２３と、第２の光カプラ２０Ａの下り側の第２ポートに光接続される管理用ＯＮＵ２４と、光中継装置４内に取り付けられた各種デバイス２５と、管理用ＯＮＵ２４の電気信号入出力端に接続されとともに第１、第２のＥＯ／ＯＥ部２１，２２及び各種デバイス２５に対して検出信号、制御・設定信号を入出力する管理機能部２６とを有している。
【００５２】
第１、第２のＥＯ／ＯＥ部２１、２２とこれらを接続する電気線路２３は、第１実施形態と同様に図２に示すような構成を有している。
【００５３】
以上のような光中継装置を有する光伝送システムにおいて、加入者宅側のＯＮＵ７−１，…７−ｎから送られた波長１．３μｍ帯の光信号は、それぞれ第１の光カプラ５により合波され、さらに光ファイバ３、６−１，…６−ｎを介して光中継装置４に入力する。
【００５４】
また、加入者宅側から光中継装置４に入力した光信号は、第２のＥＯ／ＯＥ部２２に入力し、ここで電気信号に変換され、さらに電気線路２３を介して第１のＥＯ／ＯＥ部２２に入力してここで光信号に変換されて第２の光カプラ２０Ａに出力される。第２の光カプラ２０Ａは、第１のＥＯ／ＯＥ部２２から出力された光信号と、管理用ＯＮＵ２４から出力された所定チャンネルの光信号を合波してＯＬＴ１側の光ファイバ２に伝送する。
【００５５】
ここで、管理用ＯＮＵ２４から出力される信号は管理機能部２６から出力される光信号に基づくものである。即ち、管理機能部２６は、光中継装置４を構成する第１、第２のＥＯ／ＯＥ部２１，２２及び各種デバイス２５から入力した検出信号、異常信号等を管理用ＯＮＵ２４のＯＮＵ機能部２４ｂに送信する。ＯＮＵ機能部２４ｂは、入力した電気信号を所定のチャンネルで光トランシーバ２４ａに送信する。また、光トランシーバ２４ａは、ＯＮＵ機能部２４ｂから入力した電気信号を光信号に変換して第２の光カプラ２０Ａに出力する。
【００５６】
一方、ＯＬＴ１から出力された波長１．４９μｍ帯の光信号は、光ファイバ２を伝搬して第２の光カプラ２０Ａに入力し、ここで分岐されて第１のＥＯ／ＯＥ部２１と管理用ＯＮＵ２４に伝送される。
【００５７】
第１のＥＯ／ＯＥ部２１に入力した光信号は、ここで電気信号に変換された後に電気線路２３を介して第２のＥＯ／ＯＥ部２２に入力して再び光信号に戻される。また、第２のＥＯ／ＯＥ部２２から出力された光信号は、光ファイバ３、第１の光カプラ５を介して複数の加入者宅のＯＮＵ７−１，７−ｎに伝搬される。
【００５８】
また、監視操作装置１６からスーパーバイザ１５を介してＯＬＴ１に出力された所定のチャンネルの光信号である管理用制御・設定信号は、ＯＬＴ１から光ファイバ２を介して第２の光カプラ２０Ａに入力し、ここで分岐されて管理用ＯＮＵ２４に入力する。なお、ＯＬＴ１から出力される信号はネットワークからの信号に基づくものであってもよい。
【００５９】
第２の光カプラ２０Ａから管理用ＯＮＵ２４に入力した光信号は、光トランシーバ２４ａにより電気信号に変換され、さらにＯＮＵ機能部２４ｂで所定のチャンネルの信号を管理用制御・設定信号として管理機能部２６に出力される。管理機能部２６はその管理用制御・設定信号に基づいて各種デバイス２５のパラメータを所定の値に設定したり、或いはＥＯ／ＯＥ部２１，２２のデバイスを制御したりする。
【００６０】
従って、上記の光伝送システムにおけるシステム的な機能を論理的に示すと図４に示すと同様になり、光中継装置４の管理ＯＮＵ２４は加入者宅のＯＮＵ７−１，…７−ｎと同じプロトコル仕様でシステムを構成できるため、管理用ＯＮＵ２４においてもＯＴＬ１とＯＮＵ７−１，…７−ｎの間で行われるオペレーションを活用することが可能になる。
【００６１】
従って、ＰＯＮの光伝送システムの長距離化等の目的でＯＴＬ１とＯＮＵ７−１，７−ｎの間の光伝送路に設置される光中継装置４の管理を、新たな別回線を用いることなく且つ既存のオペレーションに影響を与えずに、その光伝送路に効率的に多重収容することができる。
【００６２】
光中継装置４に設けられた第２の光カプラ２０Ａは、少なくも２分岐の構造が必要になる。また、第２の光カプラ２０Ａにより分岐される光信号の強度は、ＥＯ／ＯＥ２１と、管理用ＯＮＵ２４の２つへ分配されることと、ＯＬＴ１と光中継装置４の光伝送距離を最大限確保することを考慮すると、仮にＥＯ／ＯＥ２１と管理用ＯＮＵ２４の最小受光レベルが同等であれば、第２の光カプラ２０Ａは、等分配とするのが好ましく、例えば５０％対５０％とする。
【００６３】
要求される光伝送距離に関して、図１に示す実施の形態と図５に示す本実施の形態を比較した場合、主に光ファイバ３の伝送距離を長くすることを要求される場合には、第２のＥＯ／ＯＥ２２の出力側の光カプラ２０を必要としない図５に示す本実施の形態の方が有利となり、逆に、主に光ファイバ２の伝送距離を長くすることを要求される場合には、図１に示す実施の形態が有利となる。
【００６４】
また、中継装置４の故障を想定して、図１に示す実施の形態と図５に示す本実施の形態を比較した場合、中継装置４内のＥＯ／ＯＥ２１、２２が故障して動作しない障害が発生した場合に、図１の実施の形態では、管理用ＯＮＵ２４が正常に動作していても光信号１８をＯＬＴ１側へ伝送することができないが、図５に示す本実施の形態では、管理用ＯＮＵ２４が正常に動作していれば、カプラ２０Ａを介して障害の情報をＯＬＴ１側へ伝送できる利点が有る。
（第３の実施の形態）
図６は、本発明の第３の実施形態に係る光伝送システムを示す図であり、図１と同じ符号は同じ要素を示している。
【００６５】
図６において、ＯＴＬ１と光カプラ５の間には図１又は図５に示す光中継装置４と同じ構造の中継装置４−１，…４−ｍを光ファイバ２ａを介して距離をおいて複数接続し、その数を増やすことによって光伝送のさらなる長距離化を図ることを可能にしている。
【００６６】
これによれば、光中継装置４−１，…４−ｍの管理用に電気通信回線を設けたり、管理用に光インターフェースを設けたりする場合のような管理用の別回線の設置は不要となり、電気信号のＯＮＵ機能部２７により管理用信号を既存のＰＯＮ光伝送路に多重することが可能になる。
【００６７】
光中継装置４−１，…４−ｍ内の管理用ＯＮＵ機能２４は加入者宅側のＯＮＵ７−１，…７−ｎと実質的に同じであって、図６を論理的構成で示すと図７のようになり、光中継装置４−１，…４−ｍ内の管理用ＯＮＵ２４は既存のＰＯＮプロトコル仕様で論理的に構成されるので、ＯＴＬ１とＯＮＵ７−１、…７−ｎのオペレーションを活用することが可能である。
【００６８】
以上説明したように、第１〜第３の実施形態によれば、管理用ＯＮＵ２４は、光中継装置４内において、ＯＬＴ１と第１の光カプラ５の間の光伝送路２，３に第２の光カプラ２０Ａ或いは光カプラ２０を介して合波又は分岐されることから、管理用ＯＮＵ２４への光損失を最小化（最適化）でき、従って主信号用の光伝送路２或いは光伝送路３の光許容損失を最大限確保した上で管理用ＯＮＵ２４を構成でき、また既存のＯＬＴとＯＮＵ機能部の間のオペレーションを活用することができる。
【００６９】
さらに、その光中継装置を用いた光伝送システムによれば、加入者宅との同じ波長の光信号により光中継装置４を管理することが可能になり、特別な波長で新たな光通信回線を敷設したり、波長の異なる光信号処理装置を用いて加入者用の光信号と多重化したりする必要が無く、ＰＯＮ仕様プロトコルでＰＯＮ回線へ容易に多重接続することができ、ユーザ回線用のＯＮＵの管理と光中継装置の管理とを容易に統合することができるという利点がある。
【図面の簡単な説明】
【００７０】
【図１】図１は、本発明の第１実施形態に係る光伝送システムの構成図である。
【図２】図２は、本発明の第１実施形態に係る光伝送システムに使用される光中継装置の光電変換部を示すブロック図である。
【図３】図３は、本発明の第１実施形態に係る光伝送システムに使用される光中継装置における管理用ＯＮＵの構成を示すブロック図である。
【図４】図４は、本発明の第１実施形態に係る光伝送システムのＯＬＴから見たＯＮＵ機能との関係を示すブロック図である。
【図５】図５は、本発明の第２実施形態に係る光伝送システムに使用される光中継装置の構成を示すブロック図である。
【図６】図６は、本発明の第３実施形態に係る光伝送システムの構成を示すブロック図である。
【図７】図７は、本発明の第２実施形態に係る光伝送システムのＯＬＴから見たＯＮＵ機能との関係を示すブロック図である。
【符号の説明】
【００７１】
１：ＯＬＴ
２、３：光ファイバ
４、４−１，…４−ｍ：光中継装置
５：光カプラ
６−１，…６−ｎ：光ファイバ
７−１，…７−ｎ：ＯＮＵ
２０、２０Ａ：光カプラ
２１、２２：ＥＯ／ＯＥ部
２３：電気線路
２４：管理用ＯＮＵ
２４ａ：光トランシーバ
２４ｂ：ＯＮＵ機能部
２５：各種デバイス
２６：管理機能部
【図１】
2007295507.tif 000003
【図２】
2007295507.tif 000004
【図３】
2007295507.tif 000005
【図４】
2007295507.tif 000006
【図５】
2007295507.tif 000007
【図６】
2007295507.tif 000008
【図７】
2007295507.tif 000009